(57)【特許請求の範囲】
【請求項１】
ココヤシの未分化雄花組織の外植片から植物体を再生する方法であっ  て、（ａ）ココヤシの未分化雄花組織の外植片を、暗黒下で、植物ホルモンとしてナフ  タレン酢酸４０〜６０ppmのみを含む固体培地で培養して肥大化組織塊を誘導する工程  、（ｂ）該肥大化組織塊を、光照射下で、２，４−ジクロロフェノキシ酢酸５〜１５pp  m、６−ベンジルアデニン２．５〜７．５ppm及びイソペンテニルアデニン２．５〜７ ．５ppmを含む培地で培養して苗条分化させる工程、次いで（ｃ）該苗条分化体から幼  植物体を再生させる工程、を行うことを特徴とするココヤシ植物体の再生方法。
【発明の詳細な説明】
【０００１】
【発明の属する技術分野】
本発明は、ココヤシ未分化雄花細胞からココヤシ植物体を再生させるための方法に関する。
【０００２】
【従来の技術及び発明が解決しようとする課題】
ココヤシから得られる油脂は、各種産業において原料として用いられる極めて重要な油脂であり、これまでにココヤシ種子の増産を目的として矮性種と普通種との交雑等を始めとした種々の品種改良の試みがなされている。
【０００３】
一方、近年植物組織培養の技術が進歩し、親植物と同一な遺伝子組成を持つクローン植物を得る方法が様々な植物種で試みられており、ココヤシにおいてもその花序から脱分化組織（カルス）を誘導し再生固体を得る方法や（Ｐｒｏｃ．Ｉｎｔｌ．Ｃｏｎｆ．ｏｎ  Ｃｏｃｏａ  ａｎｄ  Ｃｏｃｏｎｕｔｓ．，“Ｃｌｏｎａｌ  Ｐｒｏｐａｇａｔｉｏｎ  ｏｆ  Ｃｏｃｏｎｕｔ  Ｐａｌｍ”１９８４、特開平１−８５０７１号公報）、未分化雄花組織からカルスを誘導せず直接に正常個体を復元する方法（特公平７−４１２３号公報）が知られている。
【０００４】
しかし、これらの方法を以てしても、再現性が高く安定的に且つ高頻度で植物体を再生するには未だ充分ではなく、使用するホルモンの種類や適性濃度等の培養条件についてなお検討の余地があった。
【０００５】
本発明の目的は、ココヤシの未分化雄花組織からカルスを経ないで植物体を再生する方法であって、再現性が高く、より高頻度で正常個体を復元するための方法を提供することにある。
【０００６】
【課題を解決するための手段】
本発明者らは、ココヤシ未分化雄花組織片から直接に植物体を再生する方法について検討した結果、特定の培地を用い、特定の培養条件を選択することによって上記目的が達成されることを見出し、本発明を完成した。
【０００７】
即ち、本発明は、ココヤシの未分化雄花組織の外植片から植物体を再生する方法であ  って、（ａ）ココヤシの未分化雄花組織の外植片を、暗黒下で、植物ホルモンとしてナ  フタレン酢酸４０〜６０ppmのみを含む固体培地で培養して肥大化組織塊を誘導する工  程、（ｂ）該肥大化組織塊を、光照射下で、２，４−ジクロロフェノキシ酢酸５〜１５  ppm、６−ベンジルアデニン２．５〜７．５ppm及びイソペンテニルアデニン２．５〜 ７．５ppmを含む培地で培養して苗条分化させる工程、次いで（ｃ）該苗条分化体から  幼植物体を再生させる工程、を行うことを特徴とするココヤシ植物体の再生方法を提供  するものである。
【０００８】
【発明の実施の形態】
本発明のココヤシ植物体の再生方法は、（ａ）〜（ｃ）の工程からなるものでり、以下に各工程について説明する。
【０００９】
（ａ）肥大化組織塊（アウトグロース）の誘導
肥大化組織塊への誘導は、暗黒下に、ココヤシの未分化雄花組織の外植片を、植物ホルモンとしてオーキシン４０〜６０ｐｐｍを含む固体培地で培養することにより行われる。
【００１０】
ここで、肥大化組織塊とは、外植片に由来する栄養生長的な構造をいう。
【００１１】
本発明において用いられるココヤシ（Ｃｏｃｏｓ  ｎｕｃｉｆｅｒａ  Ｌ．）は、普通種、矮性種及び交雑種のいずれであってもよく、またココヤシの樹令も任意であり、最初の花序が形成される若い樹令のものから数十年の樹令のものまでを任意に用いることができる。
【００１２】
ココヤシは連続花序であり、１個体から成熟状態が異なる花序が約２０個得られる。即ち、最も未熟な花序から開花直前の成熟花序に至るまで、成熟段階の異なる一連の花序が得られるが、本発明に使用する花序は、未熟花序のうち外苞（ｏｕｔｅｒ  ｓｐａｔｈｅ）の長さが３０〜７０ｍｍの範囲にあるステージものが用いられる。外苞長が該範囲を超える場合は、外植片の褐変が著しく培養が困難であり、また外苞長が該範囲に満たない場合は、外植片からの肥大化組織塊の形成は極めて希れとなり好ましくない。
【００１３】
外植片は、ココヤシ成木樹の花序を無菌的に取り出し、花序の未分化雄花部を、ＥｅｕｗｅｎｓらのＹ−３液体培地（Ｐｈｙｓｉｏｌ．Ｐｌａｎｔ．，３６巻，２３頁，１９７６年）等の中で０．５〜１．０ｍｍ厚に切り出すことにより摘出できる。
【００１４】
摘出した外植片を培養するための固体培地は、既知の無成液体培地を基本培地とし、これに炭素源、植物ホルモンを加え、所望のｐＨ、具体的には、ｐＨ５．０〜６．５に調整した後、活性炭を加え、更にゲル化剤を加えて固化することにより調製することができる。
【００１５】
基本培地としては、例えばムラシゲ・アンド・スクーグ培地、Ｙ−３培地、ホワイト培地、ガンボルグ（Ｂ５）培地、ブラントン・アンド・ブレイク培地（Ｐｒｏｃ．  Ｉｎｔｌ．  Ｃｏｎｆ．  ｏｎ  Ｃｏｃｏａ  ａｎｄ  Ｃｏｃｏｎｕｔｓ．，  “Ｃｌｏｎａｌ  Ｐｒｏｐａｇａｔｉｏｎ  ｏｆ  Ｃｏｃｏｎｕｔ  Ｐａｌｍ”  １９８４  ）、又はこれらの培地組成を改良したもの等を用いることができるが、このうち、Ｙ−３培地、ブラントン・アンド・ブレイク培地が好ましい。
【００１６】
炭素源としては、ショ糖、ブドウ糖の他、フルクトースやマルトース等を用いることができ、好ましくはショ糖である。
斯かる炭素源は、培地中に１〜５％、特に２〜４％添加するのが好ましい。
【００１７】
本工程において用いられる植物ホルモンとしては、ナフタレン酢酸（ＮＡＡ）、２，４−ジクロロフェノキシ酢酸（２，４−Ｄ）等のオーキシンのみが、培地中濃度が４０〜６０ｐｐｍの範囲で用いられる。特にナフタレン酢酸（ＮＡＡ）を約５０ｐｐｍとなるよう添加することが、カルス様体の発現を抑制すると共に、肥大化組織塊の誘導率を向上させることから好ましい。
【００１８】
ゲル化剤としては、寒天、アガロース、シュードモナス属に属する菌が産生する多糖類（例えばジェランガム（メルク社製）等）が使用でき、特にシュードモナス属に属する菌が産生する多糖類が好ましい。使用量はゲル化剤の種類によっても異なるが、培地中に０．０５〜１．５％、特に０．１〜０．３％添加するのが好ましい。
【００１９】
また、本培地には、有害物質を除去することを目的として、活性炭０．０５〜１％が添加される。
【００２０】
また、斯かる培地には、上記の成分の他にビタミン類、アミノ酸類、その他の有機物等を必要に応じて加えることもできる。
【００２１】
本工程における培養は、暗黒下において行われ、通常２０〜３５℃、好ましくは、２５〜３０℃の温度で、１〜３ヶ月間、好ましくは約２ヶ月間行われる。
【００２２】
（ｂ）苗条分化
苗条分化は、光照射下に、（ａ）で得られた肥大化組織塊を、植物ホルモンとしてオーキシン５〜１５ｐｐｍとサイトカイニン５〜１５ｐｐｍを含む培地で、培養することにより行われる。
【００２３】
本工程において用いられるオーキシンとしては、２，４−ジクロロフェノキシ酢酸（２，４−Ｄ）を用いることが好ましい。また、その添加量は、５〜１５ｐｐｍの範囲であり、特に８〜１２ｐｐｍが好ましい。
【００２４】
また、本工程において用いられるサイトカイニンとしては、６−ベンジルアデニン（６−ＢＡ）、６−フルフリアミノプテリン、テトラヒドロピラニルベンジルアデニン等の合成サイトカイニン、イソペンテニルアデニン（２−ｉＰ）、イソペンテニルアデノシン、ゼアチン等の天然サイトカイニンが挙げられるが、特に、６−ベンジルアデニンとイソペンテニルアデニンをそれぞれ２．５〜７．５ｐｐｍ、好ましくは４〜６ｐｐｍの濃度で用いることが好ましい。
【００２５】
固体培地は、上記植物ホルモン（オーキシン及びサイトカイニン）、（ａ）工程と同様の炭素源を液体培地に添加し、これを所望のｐＨ、具体的には、ｐＨ５．０〜６．５に調整した後、活性炭を添加し、更に（ａ）工程と同様のゲル化剤を加えて固化することによって調製される。
【００２６】
本工程における培養は、光照射下で行われ、通常２５〜３０℃、好ましくは２７〜２９℃の温度で、相対湿度６５〜８０％の条件下で行われる。光照射は、５００〜２００００ルクス、好ましくは６０００ルクスの光源を、通常１日に５〜２４時間、好ましくは８時間照射することにより行われる。
【００２７】
斯かる条件の下、通常２〜４ヶ月程度培養することにより、茎葉と不定根の分化が起こる。
【００２８】
（ｃ）幼植物体の再生
幼植物体の再生は、苗条分化体を新鮮培地に移植し、光照射下、２〜３ヶ月間培養することにより行うことができる。ここで用いられる培地に添加される植物ホルモンの種類や量は特に限定されず、いずれのオーキシン、サイトカイニンも用いることができるが、サイトカイニンについては（ｂ）工程で用いられた濃度の２倍、オーキシンについては１／２の濃度に調製した場合が特に好ましい。尚、培地に添加される炭素源、活性炭及びゲル化剤は（ａ）工程及び（ｂ）工程で使用したものと同様のものを用いることができ、また培養は、基本的に（ｂ）工程で用いたものと同様の条件で行うことができる。
【００２９】
斯かる条件の下、通常２〜４ヶ月程度培養することにより、幼植物体が再生される。
【００３０】
【実施例】
実施例１
（１）外植片の摘出
ココヤシを切り倒し、外苞（ｏｕｔｅｒ  ｓｐａｔｈｅ）の長さが３０〜７０ｍｍの一連のステージの花序を無菌的に摘出し、液体Ｙ−３基本培地中で０．５〜１．０ｍｍ厚に組織をスライスし、外植片を得た。
【００３１】
（２）肥大化組織塊の誘導
Ｙ−３基本培地にＮＡＡを５０ｐｐｍ、ショ糖を３％、活性炭を０．２５％、ジエランガム（メルク社製）を０．１５％となるように加え、ｐＨを５．７に調整した固体培地に外植片を置床し、２８℃で暗黒下培養した。約２カ月間で肥大化組織塊（アウトグロース）が誘導され（誘導率：４５±４．５％）（図１）、カルス様体の発現は見られなかった。
【００３２】
尚、オーキシン無添加の標準培地で同様の操作を行ったところ、肥大化組織塊の誘導率は２８．８±８．８％であり、カルス様体の発現率は９．４１±９．７％であった。
【００３３】
（３）苗条分化
外植片から肥大化組織塊を分離し、これをＹ−３基本培地に２，４−Ｄを１０〜２０ｐｐｍ、サイトカイニン（６−ＢＡ  １又は５ｐｐｍ、２−ｉＰ  １又は５ｐｐｍ）、ショ糖を３％を加えｐＨを５．７に調整し、活性炭を０．２５％、ジェランガム（メルク社製）を０．１５％となるように加えた固体培地に置床し、温度２８℃、相対湿度７０％に保持されたインキュベータ内で、１日８時間６０００ルクスの光照射下、３〜４ヶ月培養し苗条分化させた。各ホルモン濃度における分化率を表１に示す。サイトカイニンを添加することにより苗条分化率が向上した。
【００３４】
【表１】
0003621611.tif 000002
【００３５】
（４）幼植物の再生
培養物は、サイトカイニンを倍加しオーキシンを半減した新鮮培地に移植された。新たな葉と根の出現を２〜３ヶ月毎に観察した。
【００３６】
【発明の効果】
本発明の方法により、ココヤシ未分化雄花組織片から高い確率で肥大化組織塊を誘導できると共に効率的に苗条分化させることができ、ココヤシ幼植物を正確且つ再現性よく再生することが可能となる。これにより、均一な形質を有するココヤシを大量に生産することができる。
【図面の簡単な説明】
【図１】肥大化組織塊の写真である。
【図１】
0003621611.tif 000003